(57)【要約】      （修正有）【課題】人の視覚の錯覚を利用して身長を低く見せる靴を提供する。【解決手段】靴は、少なくとも、アウトソール部１０４とアッパー部１０６とによって構成され、少なくとも当該アッパー部１０６の下部に、アウトソールであると見間違わせるために、擬似踵保持部１５８を含む擬似アウトソール部形態を表すと共に、当該擬似アウトソール部形態に並列し、かつ、擬似踵保持部１５８よりも下方に真の踵を保持するための踵保持部を配置することにより、踵が擬似踵保持部１５８によって保持されているものと錯覚させることにより、身長を実際の身長よりも低いように錯覚させる靴で有る。【選択図】図４
2017143941.tif 000002
【特許請求の範囲】
【請求項１】
少なくとも、アウトソール部(104)とアッパー部(106)とにより構成される靴(100)において、
少なくとも前記アッパー部(106)における踵保持部(162)に相対する外面に擬似アウトソール形態部(156)を設けたことを特徴とする靴。
【請求項２】
少なくとも、アウトソール部(104)とアッパー部(106)とにより構成される靴(100)において、
少なくとも前記アッパー部(106)における踵保持部(162)に相対する外面に擬似アウトソール形態部(156)を設けると共に、
前記アッパー部(106)における前記踵保持部(162)の上位の外面に擬似踵部(120)の形態を表してなる
ことを特徴とする靴。
【請求項３】
少なくとも、アウトソール部(104)とアッパー部(106)とにより構成される靴(100)において、
前記アッパー部(106)における前記アウトソール部(104)に隣接する外面全周に擬似アウトソール形態部(156)を設けると共に、前記擬似アウトソール形態部(156)に相対する位置に踵保持部(162)を配置したことを特徴とする靴。
【請求項４】
少なくとも、アウトソール部(104)とアッパー部(106)とにより構成される靴(100)において、
少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、当該中間ソール部(234,256)を暗色部(238)にしたことを特徴とする靴。
【請求項５】
少なくとも、アウトソール部(104)とアッパー部(106)とにより構成される靴(100)において、
少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、
前記擬似ヒール形態部(209,258,284)と前記中間ソール部(234,256)との間に段差(244)を設けてなることを特徴とする靴。
【請求項６】
少なくとも、アウトソール部(104)とアッパー部(106)とにより構成される靴(100)において、
少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、
前記擬似ヒール形態部(209,258,284)を前記中間ソール部(234,256)に対して外方に突出させることで段差(244)を設けた
ことを特徴とする靴。
【請求項７】
少なくとも、アウトソール部(104)とアッパー部(106)とにより構成される靴(100)において、
少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、
前記擬似ヒール形態部(209,258,284)を前記中間ソール部(234,256)に対して外方に突出させることで段差(244)を設けると共に、
前記中間ソール部(234,256)を前記擬似ヒール形態部(209,258,284)に対し暗色にし
てなることを特徴とする靴。
【発明の詳細な説明】
【技術分野】
【０００１】
本発明は、靴、特に、錯覚により実際の身長よりも低い身長のイメージを持たせる靴に関する。
詳しくは、少なくともアウトソール部とアッパー部とを有する靴において、アッパー部に擬似アウトソール部形態を表すことにより錯覚によって実際の身長よりも低い身長のイメージを持たせる靴に関する。
【０００２】
本明細書において、アウトソール部とは、靴底がアウトソール部のみの場合はそのアウトソール部、及び、アウトソール部とミドルソール部との組み合わせである場合はそれらアウトソール部とミドルソール部を合体した部分を表すものとして用いている。  
また、擬似アウトソール部とは前記アウトソール部と重ならない部分、即ち、アッパー部に相当する部分に表された偽のアウトソール形態部分をいう。
【背景技術】
【０００３】
図19に示すように、従来の靴10は大凡、靴底たるアウトソール部12、足の側面及び上面を覆うアッパー部14よりなり、ビジネス用等の場合、さらにタン部16及び靴紐18を備えるが、これらを備えない靴もある。
従来、身長に関する問題を解決する発明としては、身長を高く見せる発明がその全てを占めていた。
その第１の従来技術として、靴10のアウトソール部12の一部である踵部20を高くするものが知られている(例えば、特許文献１参照)。
第２の従来技術として、ミドルソール部を厚めにすることにより、身長を高く見せるものが知られている(例えば、特許文献２参照)。
【先行技術文献】
【特許文献】
【０００４】
【特許文献１】特開2015-116434（図１〜図８、段落番号0008〜0019）
【特許文献２】特開2003-164303（図4〜図6、段落番号0007〜0010）
【発明の概要】
【発明が解決しようとする課題】
【０００５】
前述したように、身長が低い人の悩みを解消する発明は多数存在し、それらの一部が実用化され、低身長コンプレックスを緩和する効果を上げている。一方、身長が高い人の中には、高身長コンプレックスを持っている人もいる。例えば、身長が高い女性の中には、その身長故、「かわいげが無い」と言われたり、「かわいい系の服を着たいが似合っていないと思われるから着られない」と考えたり、「ハイヒールを履きたいがついつい底ヒールの靴を買ってしまう」等の悩みを抱えている者もおり、極端な場合、うつ病になる人もいる。これらの悩みを解消する手立てとして、身長を高く見せる靴とは真逆の身長を低く見せる靴を提供することが考えられるが、現在のところそのような靴は全く存在してない。
【０００６】
本発明の基本的目的である第１の目的は、人の視覚（目）の錯覚を利用して身長を低く見せる靴を提供することである。
本発明の従たる目的である第２の目的は、第１の目的に加え、安価な、身長を低く見せる靴を提供することである。
本発明の従たる目的である第３の目的は、第１の目的に加え、安全に歩行することができる身長を低く見せる靴を提供することである。
【課題を解決するための手段】
【０００７】
この目的を達成するため、本発明に係る第１の発明は以下のように構成されている。
少なくとも、アウトソール部とアッパー部とにより構成される靴において、
少なくとも前記アッパー部における踵保持部に相対する外面に擬似アウトソール形態部を設けてなることを特徴とする靴である。
【０００８】
第２の発明は、
少なくとも、アウトソール部とアッパー部とにより構成される靴において、
少なくとも前記アッパー部における踵保持部に相対する外面に擬似アウトソール形態部を設けると共に、
前記アッパー部における前記踵保持部の上位の外面に擬似踵部の形態を表してなることを特徴とする靴である。
【０００９】
第３の発明は、
少なくとも、アウトソール部とアッパー部とにより構成される靴において、
前記アッパー部における前記アウトソール部に隣接する外面全周に擬似アウトソール形態部を設けると共に、前記擬似アウトソール部形態に相対する位置に踵保持部を配置したことを特徴とする靴である。
【００１０】
第４の発明は、
少なくとも、アウトソール部とアッパー部とにより構成される靴において、
少なくとも前記アッパー部における踵保持部に相対する外面に擬似アウトソール形態部における擬似ヒール形態部を表すと共に、前記アッパー部の爪先部と前記擬似ヒール形態部との間の前記アッパー部に三角形状の中間ソール部を配置し、当該中間ソール部を暗色部にしたことを特徴とする靴である。
【００１１】
第５の発明は、
少なくとも、アウトソール部とアッパー部とにより構成される靴において、
少なくとも前記アッパー部における踵保持部に相対する外面に擬似アウトソール部形態における擬似ヒール形態部を表すと共に、前記アッパー部の爪先部と前記擬似ヒール形態部との間の前記アッパー部に三角形状の中間ソール部を配置し、前記擬似ヒール形態部と前記中間ソール部との間に段差を設けてなることを特徴とする靴である。
【００１２】
第６の発明は、
少なくとも、アウトソール部とアッパー部とにより構成される靴において、
少なくとも前記アッパー部における踵保持部に相対する外面に擬似アウトソール形態部における擬似ヒール形態部を表すと共に、前記アッパー部の爪先部と前記擬似ヒール形態部との間の前記アッパー部に三角形状の中間ソール部を配置し、
前記擬似ヒール形態部を前記中間ソール部に対して外方に突出させることで段差を設けたことを特徴とする靴である。
【００１３】
第７の発明は、
少なくとも、アウトソール部とアッパー部とにより構成される靴において、
少なくとも前記アッパー部における踵保持部に相対する外面に擬似アウトソール形態部における擬似ヒール形態部を表すと共に、前記アッパー部の爪先部と前記擬似ヒール形態部との間の前記アッパー部に三角形状の中間ソール部を配置し、
前記擬似ヒール形態部を前記中間ソール部に対して外方に突出させることで段差を設けると共に、
前記中間ソール部を前記擬似ヒール形態部に対し暗色にし
てなることを特徴とする靴である。
【発明の効果】
【００１４】
第１の発明において、アウトソール部に隣接するアッパー部には、擬似アウトソール形態部が設けられている。これにより、人はアッパー部に描かれた擬似アウトソール部上に人の踵があると錯覚し、錯覚した踵位置から頭頂までを実際の身長であると錯覚する。よって、第１の発明は、本願発明の基本的目的である第１の目的を達成できる利点がある。なお、第２乃至第８の発明においては、本願発明の基本的目的たる第１の目的に加え、他の目的をも達成できるが、少なくとも第１の目的を達成できる場合には、本願発明の技術的範囲に属するものである。
【００１５】
第２の発明においては、第１の発明と同様に、アッパー部には擬似アウトソール形態部が設けられているので、本願発明の基本的目的である第１の目的を達成できる利点がある。
さらに、踵保持部に対し上方のアッパー部には擬似踵部が表されているので、人はアッパー部の擬似アウトソール部における擬似踵部近傍の足裏から頭頂までが実際の身長であると錯覚する。したがってアッパー部に擬似アウトソール部を表すことから安価に構成でき、本願発明の第２の目的を達成できる利点がある。
【００１６】
第３の発明においては、第１の発明と同様に、アッパー部には擬似アウトソール形態部が設けられているので、本願発明の基本的目的である第１の目的を達成できる利点がある。
さらに、第３の発明においては、アッパー部の全周に擬似アウトソール部が表されていることから、靴全体から身長の高さの印象を受ける。すなわち、人はアッパー部の全周に表された擬似アウトソール部上縁から頭頂までを実際の身長であると錯覚することから、どの角度から見ても低身長であると錯覚する。よって本願発明の第１の目的をさらに達成できる利点がある。
【００１７】
第４の発明においては、第１の発明と同様に、アッパー部には擬似アウトソール形態部が設けられているので、本願発明の基本的目的である第１の目的を達成できる利点がある。
さらに、アッパー部の爪先部と前記擬似ヒール形態部との間の前記アッパー部に三角形状の中間ソール部を設け、当該中間ソール部を暗色部に表したので、人はアッパー部に表した擬似ヒール形態部が際立つった印象を受け、一層、実際の踵部がアッパー部（擬似アウトソール部）に表された擬似ヒール形態部の上にあると錯覚させられる。よって、より一層第１の目的を達成できる利点がある。
【００１８】
第５の発明においては、第１の発明と同様に、アッパー部には擬似アウトソール形態部が設けられているので、本願発明の基本的目的である第１の目的を達成できる利点がある。
さらに、アッパー部の爪先部と擬似ヒール形態部との間のアッパー部に三角形状の中間ソール部が形成されているので、そのミドルソール部が足裏下の空間であると錯覚させるから、より一層、踵部が擬似アウトソール部に表された擬似ヒール形態部の上にあると錯覚させられる。よって、第１の目的を更に達成できる利点がある。
【００１９】
第６の発明においては、第１の発明と同様に、アッパー部には擬似アウトソール形態部が設けられているので、本願発明の基本的目的である第１の目的を達成できる利点がある。
また、アッパー部の爪先部と擬似ヒール形態部との間のアッパー部に三角形状の中間ソール部を形成し、さらに、当該中間ソール部を構成する擬似ヒール形態部を中間ソール部よりも外方に突出させて段部を構成したので、より一層、踵部がアッパー部に表された擬似ヒール形態部の上にあると錯覚させられる。よって、第１の目的を更に達成できる利点がある。
【００２０】
第７の発明においては、第１の発明と同様に、アッパー部には擬似アウトソール形態部が設けられているので、本願発明の基本的目的である第１の目的を達成できる利点がある。
また、アッパー部の爪先部と擬似ヒール形態部との間の前記アッパー部に三角形状の中間ソール部を表し、さらに、当該中間ソール部を構成する擬似ヒール形態部を中間ソール部よりも外方に突出させて段部を構成すると共に、当該中間ソール部を擬似ヒール形態部よりも暗色部にしたので、より一層、踵部が擬似ヒール形態部の上にあると錯覚させられる。よって、第１の目的を更に達成できる利点がある。
【図面の簡単な説明】
【００２１】
【図１】図１は、本発明にかかる実施例１の右足用の靴の右上方からの斜視図である。
【図２】図２は、本発明にかかる実施例１の右足用の靴の右上方からの分解斜視図である。
【図３】図３は、本発明にかかる実施例１の右足用の靴の右側面図(土踏まず側)である。
【図４】図４は、本発明にかかる実施例１の右足用の靴の長手方向における縦断面図である
【図５】図５は、本発明にかかる実施例１の靴の効果説明図である。
【図６】図６は、本発明にかかる実施例２の左足用の靴の左側面図(反土踏まず側)である。
【図７】図７は、図６におけるＸ−Ｘ線横断面図である。
【図８】図８は、本発明にかかる実施例３の靴の図７と同一位置での横断面図である。
【図９】図９は、本発明にかかる実施例４の靴の図７と同一位置での横断面図である。
【図１０】図１０は、本発明にかかる実施例５の左足用の靴の右上方からの斜視図である。
【図１１】図１１は、本発明にかかる実施例５の左足用の靴の側面図である。
【図１２】図１２は、本発明にかかる実施例５の左足用の靴の縦断面図である。
【図１３】図１３は、本発明にかかる実施例６の左足用の靴の右上方からの斜視図である。
【図１４】図１４は、本発明にかかる実施例６の左足用の靴の底面図である。
【図１５】図１５は、本発明にかかる実施例６の左足用の靴の左下側からの斜視図である。
【図１６】図１６は、本発明にかかる実施例６の左足用の靴の図１３におけるＹ平面における断面である。
【図１７】図１７は、本発明にかかる実施例７の右足用の靴の右上方からの斜視図である。
【図１８】図１８は、本発明にかかる実施例７の右足用の靴の左側面図である。
【図１９】図１９は、従来の左足用の靴の左側面図である。
【発明を実施するための形態】
【００２２】
本発明は、人の視覚（目）の錯覚を利用して身長を低く見せる靴を提供するという第１の目的を、少なくとも、アウトソール部とアッパー部とにより構成される靴において、少なくとも前記アッパー部における踵保持部に相対する外面に擬似アウトソール部形態における擬似ヒール形態部を表すと共に、前記アッパー部の爪先部と前記擬似ヒール形態部との間の前記アッパー部に三角形状のミドルソール部を配置し、前記擬似ヒール形態部を前記ミドルソール部に対して外方に突出させることで段差を設けると共に、前記ミドルソール部を前記擬似ヒール形態部に対し暗色にしてなることにより実現した。
【実施例１】
【００２３】
本発明の実施例１を図１〜４を参照しつつ説明する。
本実施例１の靴100は、運動靴102の例であって、少なくとも、アウトソール部104、アッパー部106、及び、擬似アウトソール部108によって構成されている。本実施例１においては、更に、タン部110及び、靴紐112によって構成されている。なお図１乃至図４は右足用の運動靴102Rであり、図５は左足用の運動靴102Lであるが、周知のように右足用及び左足用の運動靴は左右対称に同一構造に構成されている。
【００２４】
まずアウトソール部104を説明する。
アウトソール部104は、靴底であり、人の足HFの足裏SFを地面上の危険物から保護すると共に、着地時の衝撃を緩和する機能、及び、アッパー部106の下端部が固定される機能を有し、一般的にウレタン樹脂等の弾性を有する合成樹脂やゴムによって、大凡足形に成型される。足形とは、全体的に楕円形であって、土踏まず部104Aが爪先部104Tと踵部104Hに対してくびれて狭幅になったひょうたん型の他、くびれ部が無い楕円形状を含む概念である。アウトソール部104の厚みは、大凡均一である。しかし、踵部104H側から爪先部104T側に向かって徐々に薄くなるように構成しても良い。
【００２５】
次にアッパー部106を説明する。
アッパー部106は、足HFの足側面LF、足上面IF、及び、踵FHを覆う機能を有すると共にアウトソール部104と共に靴100全体を足HFに一体化させる機能を有し、その材質は用途に応じ、布、皮革、人工皮革、樹脂、及び、ゴム等によって成形されている。
アッパー部106は、足の足側面LF及び甲IFを覆う機能から、大略、爪先部116、中央部118、及び、擬似踵部120によって錐形楕円型に形成され、その下端部は、アウトソール部104の上面、上側面、又は、側面全周に縫合又は接着等によって強固に固定される。
爪先部116は土踏まずAFに相対する中央部118までを意味し、先端部分122は閉止されると共に爪先部116の左側壁124、右側壁126、及び、天壁128により短手方向断面がドーム型に形成されている。土踏まず部114は、爪先部116に連続して大凡土踏まずAFに相対し、アウトソール部104に対して大凡垂立し、それらは大凡並行する左中央側壁132と右中央側壁134(見えない)とにより形成され、その下端部は、アウトソール部104の上面又は側面に強固に縫合、又は、接着によって固定されている。擬似踵部120は、土踏まず部114に連続して踵FHの上側を囲うように横向きの三次元のドーム状に形成され、外見上、真の踵部と見誤るように形成されている。アッパー部106は、その下端部の全周がアウトソール部104の側面に配置される場合、その下端部も一部は上下方向においてアウトソール部104と重なっているので、その重なり部分は、実質的にアッパー部106ではない。よって、本明細書においては、アウトソール部104と重なり合わない部分を実アッパー部130として説明する。
また、爪先部116から土踏まず部114の稜線部136には所定の間隔で開設された開口138の両側に羽部142(左羽部142L、右羽部142R)が形成され、靴紐112を引き通すための複数の紐孔144がそれぞれに同数穿孔されている。
本実施例１において、爪先部116の稜線部には補強及び外観向上のため、開口138から先端部分122に亘って先広がり状のトウ当て片146が貼付されている。また、擬似踵部120にも補強及び外観向上のため、踵部を包むように踵充て片148が貼付されている。
これらにより、運動靴102には、足HFがすっぽりと入る足形空間150が形成される。
【００２６】
足形空間150内のアウトソール部104上には主に衝撃緩和機能を発揮させるため、アウトソール部104と同形状であるがやや小ぶりに形成されたミドルソール部152が配置されている。
【００２７】
次に擬似アウトソール部108を説明する。
擬似アウトソール部108は、第三者にアウトソール部104であると錯覚させる機能を有し、アッパー部106の所定位置の外面に形成され、外形がアウトソール部と見誤らせるような形態に形成されている。アッパー部106の所定の位置とは、アッパー部106の下端部における、少なくとも擬似踵部120に対する下方位置であるが、これに限定されず、アッパー部106の下端部の全周であっても良い。
本実施例１における擬似アウトソール部108は第１擬似アウトソール部154であり、アッパー部106の下端部の中央部118から擬似踵部120の下方かけて表されている。
擬似アウトソール部108(第１擬似アウトソール部154)は、少なくとも擬似アウトソール形態部156を含み、更に、擬似アッパー部境界部158を含むことが好ましい。
更にまた、靴100、したがって運動靴102は足形空間150に突出する踵保持部162を含んでいる。
【００２８】
最初に擬似踵部120を説明する。
擬似踵部120は、外見上、足HFの踵FHが位置するように見誤る形態に形成されている。具体的には、アッパー部106における足HFの踵FHが擬似踵保持部158に保持されているように見せかける形態に形成されている。具体的には。擬似踵部120は、運動靴102の後端部上部に形成された横向きドーム型をしている。
【００２９】
次に擬似アウトソール形態部156を説明する。
擬似アウトソール形態部156は、外見上、アウトソール部104に見誤る形態に形成されている。本実施例１においては、側面視において擬似アウトソール部下縁164は略直線状であり、擬似アウトソール部上縁166は中央部が最も高い山形に形成された擬似アウトソールテープ体168によって形成されている。擬似アウトソールテープ体168の中間部は、アウトソール部104の側面及びアッパー部106の下部側面に相対して配置され、擬似踵部120の下方から爪先部116へ向かって延伸されて中央部118と爪先部116との境目近傍まで延在され、その後一定の幅で先端部分122へ延長されている。
擬似アウトソールテープ体168の外表面はアウトソール部104を印象づける形態、例えば、天然ゴム又は皮革を連想させるキャラメル色、獣皮表面を連想させる微細凹凸、アッパー部106とは全く異なる二次元若しくは三次元模様、又は、アッパー部106に対し突出する段差を形成する厚み等に処理されている。更には、アッパー部106の表面がレザー調、かつ、擬似アウトソール形態部156がエンボス調、若しくは、アッパー部106と異なるレザー調、又は、アッパー部106が布地調、擬似アウトソール形態部156がレザー調に処理することができる。さらに、アッパー部106の下部の外表面に印刷又は描画によって、擬似アウトソール形態部156を表すことができる。靴100を大量生産する場合、アッパー部106の下端部を型によって樹脂成形し、又は、印刷することが適している。同一品を大量生産することで、コストを低減できるからである。
したがって、擬似アウトソールテープ体168の擬似アウトソール部上縁166、とアッパー部106の擬似アッパー部下縁170とは同一部位を表している。擬似アウトソール部上縁166（擬似アッパー部下縁170）と擬似踵部120との位置関係は、足裏SFと踵FHとの関係において自然なレイアウトを印象づける寸法関係に配置されている。
【００３０】
次に擬似アッパー部境界部158を説明する。
擬似アッパー部境界部158は、擬似アウトソール部上縁166（擬似アッパー部下縁170）と同一部分を表し、外見上、アウトソール部104とアッパー部106との境界と見間違わせるような形態、例えば、一筋の線、段差、色違い等によって構成されている。本実施例１において、擬似アウトソールテープ体168が所定の厚みを有することから、アッパー部106との境界部においては、擬似アウトソールテープ体168がアッパー部106よりも僅かに外方へ突出し、一本の線状、又は、段差状に見えるように構成されている。
【００３１】
次に踵保持部162を説明する。
踵保持部162は、靴100内に位置する足HFの踵FHが上方にずり上がらないようにする保持機能を有し、本実施例１においては、擬似踵部120よりも下方の足形空間150において、爪先部116側へ僅かに突出する踵保持凸部172によって構成されている。利用者が靴100、したがって、運動靴102を履いた場合、踵FHにおける上向部HUが踵保持凸部172の下向き斜面173に接触し、容易に踵FHが踵保持部162に対しずり上がらないように構成されている。この踵保持凸部172は、弾性を有するスポンジ等によって構成され、足HFに圧迫感を与えないようになっている。本実施例１において、踵保持部162（踵保持凸部172）は側面から見た場合、水平方向において、擬似アウトソール部上縁166に対し僅か上方に配置されている。しかし、擬似アウトソール部上縁166を更に上方に配置することにより、踵保持部162を擬似アウトソール形態部156に対し水平方向において並んで配置することもできる。
【００３２】
本実施例１における擬似アウトソール形態部156は、アッパー部106の少なくとも擬似踵部120よりも下方に表した第１擬似アウトソール部154である。すなわち、本実施例１において、アッパー部106はその下端がミドルソール部152及びアウトソール部104の側面に相対する位置まで延在して形成されている。さらに、ミドルソール部152に相対する部分の上方にもアウトソールのイメージを生じさせる形態に第１擬似アウトソール形態154が施されている。換言すれば、擬似アウトソールテープ体168が貼り付けられている。したがって、本実施例１においては、ミドルソール部152よりも上方におけるアッパー部106の外面に表れた第１擬似アウトソール部154の擬似アウトソール部上縁166（擬似アッパー部下縁170）上に足HFの踵FH部の足裏SFが位置しているとの印象を受ける。換言すれば、擬似アウトソール形態部156は、踵保持部162(踵充て片148)の側方に位置することになる。これにより、人Hは外見上、擬似アウトソール形態部156の擬似アッパー部境界部158（擬似アウトソール部上縁166）の上に実際の足HFの踵FHが載っているものと錯覚し、結果的に、その人Hの身長は、擬似アウトソール部上縁166から頭頂HTまでが身長LFであると錯覚する。本実施例１において、第１擬似アウトソール部154に相対する水平方向には、土踏まずAF、及び、側面LF及び踵FHの左右側面が位置している。しかし、擬似アウトソール形態部156は踝ANFの直下辺りまで表すことができる。しかし、踝ANFの側方まで延在させた場合、足HFと靴100との間の距離感のバランスが不自然で違和感を生じるのであまり好ましくない。
【００３３】
次にタン部110を主に図４を参照して説明する。
タン部110は、靴紐112を締めた場合、運動靴102を足HFにぴったりと適合させる機能を有し、本実施例１においては角部に丸みを付した横長矩形に形成され、そのタン部先端部174は爪先部116の上部内面に固定され、タン部中間部176とタン部後端部178はアッパー部106に固定されておらず、靴紐112を締めていない場合、自由に動くことができる。タン部中間部176は開口138よりも広幅に形成されると共に開口138に相対して配置され、及び、タン部後端部178は、開口138よりも擬似踵部120側に僅かに延在した位置に配置され、足形空間150の上端開口である足挿入口180を形成する。タン部110は、足HFの甲IFと接触するため、適度の弾力（柔軟）性をもった材料、例えば、ウレタンスポンジを内蔵した布袋や外面側にウレタンシートを配置し、内面にウレタンスポンジを配置したシートによって構成されることが好ましい。
本実施例１において、タン部110は、通常のタン部よりも厚く形成されている。後述するように、実際の足HFの踵部FHは、外見上踵部FHが位置すると見誤る擬似踵部120よりも下方、したがって、ミドルソール部152及びアウトソール部104に近い位置にあるため、運動靴102を足HFにぴったりと適合させて一体化するには、タン部110を厚くする必要があるからである。
足挿入口180は、タン部後端部178、左中央側壁132、右中央側壁134、及び、擬似踵部120によってリング状に形成されている。
【００３４】
次に靴紐112を説明する。
靴紐112は、開口138の左右に配置された左羽部142Lと右羽部142Rとの距離を縮めてタン部110を足HFの甲FIに適度に押しつけて運動靴102を足HFにフィットさせる機能を有し、本実施例１においては、所定長さの靴紐112を最も爪先部116側の紐孔144に通した後、反対側の紐孔144に引き通すことを繰り返して最も擬似踵部120側の紐孔144に通してある。これにより、左羽部142Lと右羽部142Rとを近づけるように靴紐112を締め上げることにより、足HFに運動靴102を一体化することができる。
【００３５】
次に本実施例１の運動靴102を人Hが履いた場合の作用・効果を説明する。
実施例１の運動靴102を人Hが履いた場合、図５に示すように、外見上の身長に影響を与える踵FHの足裏SFは、ミドルソール部152の上面上にあるので、実際の身長は、ミドルソール部152から頭頂HTまでの距離LTである。しかしながら、靴100の外面に表れる第１擬似アウトソール部154における擬似アッパー部境界部158（擬似アウトソール部上縁166、擬似アッパー部下縁170）は、実際に踵FHが載っているミドルソール部152の上面よりも長さLD分上方に位置している。よって、人Hを見た他人は、第１擬似アウトソール部154の擬似アウトソール部上縁166（擬似アッパー部境界部158）から頭頂HT迄の距離LFが人Hの身長であると錯覚する。すなわち、長さLD分、実際の身長よりも低いと錯覚させることができる効果がある。
【実施例２】
【００３６】
次に実施例２を図６及び図７を参照して説明する。
実施例１と同一機能部分には同一符号を付して説明を省略し、異なる構成を説明する。
実施例２も運動靴184の例であるが、実施例１と最も異なる構成は、アッパー部106の下部における外面全周に擬似アウトソール形態部156である第２擬似アウトソール部形態部186を表した例である。すなわち、アッパー部106の下端部全周に第２擬似アウトソール部形態部186が形成されている。第２擬似アウトソール部形態部186も実施例１と同様に、アウトソール部104を連想させる形態に構成されている。本実施例２においては、図７に示すように、アウトソール部104及びアッパー部106の下端部の外側面全周に擬似アウトソール形態部156用の所定の厚み及び幅を有する第２擬似アウトソールテープ体188が貼り付けられている。しがたって、ミドルソール部152は第２擬似アウトソールテープ体188の下部側方に位置し、第２擬似アウトソールテープ体188の第２擬似アウトソール部上縁190は擬似アッパー部境界部158であり、本実施例２においては足の親指BTの頂部よりも上方位置において、アッパー部106の外周面全周に位置し、外見的には第２擬似アウトソール部段差192(擬似アッパー部境界部158)が形成される。したがって、外見上は、第２擬似アウトソール部段差192に接して足HFの裏面SFが位置していると錯覚する。また、擬似踵部120よりも下方の第２擬似アウトソールテープ体188に対し、水平方向において相対する位置であって、足形空間150の内面の中間には踵充て片148が設置され、踵FHがミドルソール部152の上面から離れない様に構成されている。換言すれば、踵保持部162が擬似踵部120よりも下方に位置する第２擬似アウトソール部形態部186の側方に配置されている。したがって、外見上の擬似踵部120は当該踵充て片148よりも上方に配置されている。さらに、タン部110は、足HFの足裏SFがミドルソール部152の上面から浮き上がらないように、通常の運動靴よりは大幅に大きい厚み及び弾性を持って構成されている。
【００３７】
実施例２の運動靴184を履いた人Hは、実施例１と同様に、ミドルソール部152の上面から頭頂HTまでが実際の身長LTである。しかし、第２擬似アウトソール部上縁190は、ミドルソール部152の上面から頭頂HTまでの距離LFである。これを見た他の人は、第２擬似アウトソール部形態186の第２擬似アウトソール部上縁190から頭頂HTまでの高さを実際の身長であると錯覚する。換言すれば、実際の身長LTよりも長さLD分低い身長LFであると錯覚する。よって、実施例２も第１の目的を達成できる。特に、実施例２は、靴100の全周に第２擬似アウトソール部形態部186が表されているので、見る人がどの角度から見ても錯覚する。換言すれば、見る人がどの角度から見ても身長が長さLD分低いと錯覚する利点がある。
【実施例３】
【００３８】
次に実施例３を図８を参照して説明する。
実施例３は、実施例２と同様の位置での横断面図であり、実施例２と異なる構成を説明すると、第３擬似アウトソールテープ体196は実施例２よりも厚く形成された帯状をしており、アッパー部106は第３擬似アウトソールテープ体196に隣接配置される下部アッパー部106Lと上方に配置される上部アッパー部106Uとにより構成され、上部アッパー部106Uの下端部が大凡直角に折り曲げられた後、第３擬似アウトソールテープ体196の上端面に縫合又は接着等により固定された構成になっている。したがって、上部アッパー部106Uの下端部、実質的には第３擬似アウトソールテープ体196の上面によって、擬似アウトソール部形態156の擬似アウトソール部上縁166たる第３擬似アウトソール部段差196Bが形成される。この第３擬似アウトソール部段差196Bが第３擬似アウトソール部上縁196Eになる。
【００３９】
本実施例３において、第３擬似アウトソール部上縁196Eが実施例２における第２擬似アウトソール部上縁190と同一の機能を果たすことから、他の人は、第３擬似アウトソール部形態196の擬似アウトソール部上縁166たる第３擬似アウトソール部上縁196Eから頭頂HTまでの高さを実際の身長であると錯覚し、実施例３も第１の目的を達成できる。さらに、第３擬似アウトソール部段差196Bは実施例２よりも幅広であるから、実際のアウトソール部上縁との印象を強く与え、より一層、錯覚しやすくする効果がある。
【実施例４】
【００４０】
次に実施例４を図９を参照して説明する。
実施例４は、実施例２と同様の位置での横断面図であり、実施例２と異なる構成を説明すると、アッパー部106が第２擬似アウトソールテープ体188と同様の第４擬似アウトソールテープ体198の上面の外方に突出されてオーバーハング部106OHを形成した後、垂立する構成になっている。したがって、アッパー部106のオーバーハング部106OHによって、アッパー部106の擬似アッパー部下縁170たる第４擬似アッパー部下縁198Bが形成される。この第４擬似アッパー部下縁198Bが第４擬似アウトソール部上縁198Eになる。
【００４１】
本実施例４において、第４擬似アッパー部下縁198Bが実施例２における第２擬似アウトソール部上縁190と同一の機能を果たすことから、他の人は、第４擬似アッパー部下縁198B（第４擬似アウトソール部上縁198E）から頭頂HTまでの高さを実際の身長であると錯覚し、実施例４も第１の目的を達成できる。さらに、第４擬似アウトソール部形態196Bは実施例２よりも明確であるから、実際のアウトソール部上縁との印象を強く与え、実施例３と同様に、より一層、錯覚しやすくする効果がある。
【実施例５】
【００４２】
次に実施例５を図10〜図12を参照して説明する。
実施例５は、女性用の靴100であり、ウエッジソールを採用したショートブーツ200に適用した例であり、図10〜図12は左足用のショートブーツ200である。
実施例１と同一機能部分には同一符号を付して説明を省略し、異なる構成を説明する。
ショートブーツ200も実施例１と同様に、アウトソール部104、アッパー部106、及び、擬似アウトソール形態部156を含んでいる。
【００４３】
初めに、本実施例５におけるアウトソール部104を説明する。本実施例５におけるアウトソール部104は、一定の厚みを有し、革製、樹脂製又はゴム製であって、平面視足形状をした平板状の第５アウトソール部202である。
【００４４】
次に、本実施例５におけるアッパー部106を説明する。
アッパー部106は、第５アウトソール部202の上面の輪郭に沿って固定された末広がり筒状体であり、革、合成皮革、樹脂、又は、ゴム等により形成された第５アッパー部204である。第５アッパー部204は、足HFの足側面LF及び甲IFを覆う機能から、大略、第５爪先部206、第５擬似踵部208、第５擬似ヒール形態部209、第５中央部212、及び、足回部214によって錐形楕円型に形成され、その下端は、第５アウトソール部202の上面に縫合又は接着等によって強固に固定されている。
第５爪先部206は土踏まずAFに相対する第５中央部212との境までを指し、第５先端部分216は閉止されると共に、第５先端部分216に続く第５左側壁218、第５右側壁220、及び、甲覆222により短手方向断面がドーム型に形成されている。第５中央部212は、第５爪先部206に連続して大凡土踏まずAFに相対し、第５アウトソール部202に対して垂立し、それらは大凡並行する第５左中央側壁224と第５右中央側壁226とにより形成されている。第５擬似踵部208は、第５中央部212に連続して踵FHを囲うように平面視アーチ型であって、半円形樋状に形成され足回部214の後側下部に形成されている。第５アッパー部204は、その下端部の全周が第５アウトソール部202の側面に配置される場合、その一部は上下方向において第５アウトソール部202と重なっているので、その重なり部分は、実質的に第５アッパー部204ではない。よって、本明細書においては、第５アウトソール部202と重なり合わない部分を第５アッパー部204として説明する。第５アウトソール部202の第５爪先部206に相対する部分は所定の厚みを有し、第５アッパー部204の下端部に対し僅かに横方向へ突出するように形成されている。換言すれば、第５アウトソール部202と第５アッパー部204の間には爪先部段差210が形成されている。
【００４５】
次に、擬似アウトソール部形態156たる第５擬似アウトソール部形態228を説明する。第５擬似アウトソール部形態228は、第５爪先部206から第５中央部212までは第５アウトソール部202と同一であり、第５中央部212から第５擬似踵部208に対し施されたウエジソール形態230に表されている部分が相当する。ウエジソール形態230は、図10及び図11においては、第５中央部212の第５爪先部206側から第５擬似踵部208側へ右肩上がりに急角度で上昇した後、やや緩やかな角度になって第５擬似踵部208に達している。すなわち、第５擬似アウトソール部形態228（ウエジソール形態230）は、図11における側面視、アウトソール部104における爪先部段差210に続いてウエッジソール部段差232が形成され、当該ウエッジソール部段差232は、足HFの甲IFの側方から踵FHの側方にかけて順次上方に位置するように右肩上がりに形成されている。したがって、実施例５において、擬似アッパー部境界部158、したがって、擬似アウトソール部上縁166及び擬似アッパー部下縁170はウエッジソール部段差232である。
ウエッジソール部段差232から第５アウトソール部202まで大凡垂下する壁面は、第５アウトソール部202と一体に見間違われるように、下方の第５アウトソール部202と同様の形態に形成されている。具体的には、第５擬似アウトソール部形態228は、第５爪先部206に位置する第５アウトソール部202に接続する第５中間ソール部234、第５擬似ヒール形態部209、及び、第５中間ソール部234と第５擬似ヒール形態部209との間に形成された直角三角形状の暗色部238を含んでいる。第５擬似アウトソール部形態部228における第５擬似ヒール形態部209に相対する靴内面に第５踵宛て片240が形成されている。換言すれば、第５踵保持部246が第５擬似アウトソール部形態部228に対し、水平方向において並んで配置されている。第５踵宛て片240は、水平位置において、第５擬似アウトソール部形態228の側方の内面に突出形成され、人Hの踵FHが上方にずれようとした際、引っかかって、ずり上がらず、踵FHが第５ミドルソール部242から離れないように保持する機能を有する。
【００４６】
次に第５中間ソール部234を説明する。
第５中間ソール部234は、土踏まずAFの下方に恰も空間が存在するかのように錯覚させる機能を有するように構成され、本実施例５においては大凡直角三角形状を呈し、後述するように暗色部238に構成されている。第５中間ソール部上縁235は、第５アウトソール部202に続いて緩やかな曲線を描いて約30度の角度で上昇した後、約15度の角度に傾斜する傾斜部であり、その上側に隣接して爪先部段差210に続くウエッジソール部段差232が形成され、擬似アウトソール部上縁166たる第５擬似アウトソール部段差244を構成している。この第５擬似アウトソール部段差244は、踝AUFの側方におけるやや下方に位置している。第５擬似アウトソール部段差は、通常段差244とも称される。
【００４７】
次に第５擬似ヒール形態部209を説明する。
第５擬似ヒール形態部209は、第５アウトソール部202から垂立し、所定高さを有するヒール形態が表されている。例えば、第５擬似ヒール形態部209は、革製又は木製である印象を与えるため、茶褐色（キャラメル色）に着色され、同様に第５アウトソール部202及び第５擬似アウトソール部段差244も同色に表される。着色に変えて、着色シールを貼付することもできる。第５擬似ヒール形態部209は、第５擬似アウトソール部段差244の端部の下方に位置し、さらに、その上方に第５擬似踵部208が配置され、踵FHがその上に乗っているような錯覚を与えるように構成されている。
したがって、側面から見た人は、爪先部段差210、第５擬似アウトソール部段差244を真の第５アウトソール部202の上端であると錯覚し、結果として、第５擬似踵部208に真の踵FHが位置すると錯覚させられる。
【００４８】
次に暗色部238を説明する。
暗色部238は、土踏まずAFの真下に形成される空間を想起させる機能、換言すれば、第５擬似踵部208を、より一層、真の踵保持部であると錯覚させる機能を有する。第５中間ソール部234は、第５爪先部206、第５擬似アウトソール部段差244、及び、第５擬似ヒール形態部209よりも暗く見せる処理が施された部分である。換言すれば、第５中間ソール部234は、土踏まずAFの下方に空間が存在するように錯覚させることで第５擬似踵部208が真の踵保持部であると錯覚させる形態に形成された領域をいう。本実施例５においては、第５爪先部206、第５擬似アウトソール部段差244、及び、第５擬似ヒール形態部209よりも暗く見えるようにするため、それらよりも暗色、例えば、黒色、若しくは、相対的に暗色に着色され、周囲よりも暗い印象を与えることで、土踏まずAFの下方に空間領域があるように錯覚させるように構成されている。
【００４９】
次に足回部214を説明する。
足回部214は、踝FHよりも上位の下肢Lが位置し、第５アッパー部204の上端に続く垂立筒状の部位である。第５爪先部206における甲IFから下肢Lに相対する足回部214の内側には、足HFが第５アウトソール部202（ミドルソール）から浮き上がって上方へ移動しないように第５爪先宛て片248、及び、足回部214の内側には足首宛て片250が配置されている。第５爪先宛て片248、及び、足首宛て片250は、足HF及び足首に圧迫感を与えないように、弾力性を有する材料で形成されるが、柔らかすぎる場合、足HFの保持性に影響を与えるので、適度な堅さに設定されている。
【００５０】
次に実施例５の作用を説明する。
まず、ショートブーツ200を履く場合、爪先部FTを足回部214の上端開口から挿入し、第５爪先部206まで進入させる。この状態において、足裏SFは第５ミドルソール部242に密着し、踵FHは第５踵宛て片240の突出部よりも下方に位置している。よって、甲IFは第５爪先宛て片248に密着し、足HFとショートブーツ200は一体化され、人Hが歩行・走行する際に支障となることは無い。
この状態において、踵FHは第５ミドルソール部242上に位置している。しかし、外見的には第５擬似アウトソール部段差244上に踵FHが位置するように見えるので、第５擬似アウトソール部段差244から頭頂HTまでが真の身長であると錯覚し、実際の身長よりも低く錯覚させる効果がある。
【実施例６】
【００５１】
次に実施例６の靴100を図13乃至図16を参照して説明する。
本実施例６は、実施例５と同様にショートブーツ200（左足）の例であるが、第６中間ソール部256が実施例５の第５中間ソール部234の形態と異なる以外は実施例５と同様に、第６アウトソール部252、第６アッパー部254、第６擬似ヒール形態部258及び第６擬似踵部260を備えている。
本実施例６における第６中間ソール部256は、第６擬似ヒール形態部258との間に第６段差部262を形成することにより、第６中間ソール部256が第６擬似ヒール形態部258よりも凹んだように見せるように形成されている。具体的には、第６アウトソール部252の第６踵部264から所定の幅で垂立する第６擬似ヒール形態部258と第６中間ソール部256との間にほぼ垂立する第６段差部262が形成されている。第６中間ソール部256、及び、第６段差部262はショートブーツ200の左右に形成されているので、左側部分に同一数字に対しL、右側部分には同一数字にRを付することにより説明を省略する。具体的には、第６段差部262は、第６擬似ヒール形態部258を第６中間ソール部256よりも横方向に突出させて形成してある。その理由は、第６中間ソール部256、及び、第６擬似ヒール形態部258は第６擬似アウトソール部266であり、その位置には足HFが位置するので、第６段差部262を形成する場合、第６擬似ヒール形態部258を外方へ突出させる必要があるからである。
本実施例６における第６段差部262は、下方から上方に位置するにしたがって突出量が小さくなる三角形に形成されている。また、第６段差部262と第６中間ソール部256とは同一色にて着色することができるが、第６擬似ヒール形態部258が革製又は木製であること醸し出すため、第６擬似ヒール形態部258を茶褐色、第６中間ソール部256を黒色に着色することができる。着色する場合、第６中間ソール部256の色は、第６擬似ヒール形態部258よりも暗色にすることが好ましい。暗色である場合、第６中間ソール部256が空間であると錯覚させる確率が高まるからである。第６擬似踵部260は、踵FHを包み込んで保持するように、三次元的な横向きドーム型に形成され、外見上、真の踵保持部であると見間違う形状に形成されており、第６擬似ヒール形態部258に対し上側に形成されている。なお、第６段差部262は、他人の目に曝す機会が多い外側部、本実施例６では左側の第６段差部262Lにのみ形成し、右側の第６段差部262Rは暗色に表すことでもよい。
【００５２】
次に、本実施例６の作用を説明する。
まず、ショートブーツ200を履く場合、爪先部FTを足回部214の上端開口から挿入し、第５爪先部206まで進入させる。この状態において、足裏SFは第５ミドルソール部242に密着し、踵FHは第５踵宛て片240の最突出部よりも下方に位置している。甲IFは第５爪先宛て片248に密着し、足HFとショートブーツ200は一体化され、人Hが歩行・走行する際に支障となることは無い。
この状態において、踵FHは第５ミドルソール部242上に位置している。しかし、外見的には第６擬似ヒール形態部258上に踵FHが位置すると共に第６擬似踵部260に踵FHが保持されるように見えるので、身長は第６擬似ヒール形態部258上端(擬似アッパー部境界部158)から頭頂HTまでであると錯覚し、実際の身長よりも低身長であると錯覚させる効果がある。
【実施例７】
【００５３】
次に本実施例７を図17及び図18を参照して説明する。
実施例７は、靴100として婦人用のウエッジソール型のパンプス268に本発明を適用した例である。
パンプス268は、アウトソール部104たる第７アウトソール部272、アッパー部106たる第７アッパー部274、爪先部116たる第７爪先部276、擬似踵部120たる第７擬似踵部278、及び、第７擬似ヒール形態部284、ミドルソール部152たる第７ミドルソール部286、及び、擬似アウトソール形態部156たる第７擬似アウトソール形態部288を含んでいる。他の実施例と異なる実施例７の構成を説明し、他の実施例と同一又は同様の構成については同一符号を付し、説明を省略する。第７アッパー部274の第７中間ソール部290から第７擬似ヒール形態部284にかけて、図18においては右肩上がりに第７擬似アウトソール形態部288が形成されている。この第７擬似アウトソール形態部288は、印刷又は表面形態によって、第７アッパー部274の下部の表面をアウトソール状に見えるように構成されている。なお、第７中間ソール部290は、実施例６と同様に第７暗色部292にすることが好ましい。踵保持部162としての第７踵宛て片282が足形空間150に突出され、第７擬似アウトソール形態部288の水平方向に相対して形成されている。
【００５４】
次に実施例７のパンプス268の作用・効果を説明する。
よって、人Hがパンプス268を履いた場合、踵FHは第７擬似ヒール形態部284に相対して設けられた第７踵宛て片282に保持され、踵FHが第７ミドルソール286から浮き上がること無く一体的に歩行することができる。しかし、外見的には、第７擬似踵部278に踵FHが保持され、かつ、第７擬似ヒール形態部284上に踵FHが位置するように錯覚し、当該人Hの身長は、擬似アッパー部境界部158上から頭頂HT迄であると錯覚し、人Hの身長を実際の身長よりも低いと錯覚する利点がある。
【符号の説明】
【００５５】
104  アウトソール部
106  アッパー部
100  靴
162  踵保持部
156  擬似アウトソール部形態
209,258,284擬  似ヒール形態部
116  爪先部
234,256  中間ソール部
244  第５擬似アウトソール部段差
【図１】
2017143941.tif 000003
【図２】
2017143941.tif 000004
【図３】
2017143941.tif 000005
【図４】
2017143941.tif 000006
【図５】
2017143941.tif 000007
【図６】
2017143941.tif 000008
【図７】
2017143941.tif 000009
【図８】
2017143941.tif 000010
【図９】
2017143941.tif 000011
【図１０】
2017143941.tif 000012
【図１１】
2017143941.tif 000013
【図１２】
2017143941.tif 000014
【図１３】
2017143941.tif 000015
【図１４】
2017143941.tif 000016
【図１５】
2017143941.tif 000017
【図１６】
2017143941.tif 000018
【図１７】
2017143941.tif 000019
【図１８】
2017143941.tif 000020
【図１９】
2017143941.tif 000021
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
少なくとも、アウトソール部(104)とアッパー部(106)とにより構成される靴(100)において、少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、当該中間ソール部(234,256)を暗色部(238)にしたことを特徴とする靴。
【請求項２】
少なくとも、アウトソール部(104)とアッパー部(106)とにより構成される靴(100)において、少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、前記擬似ヒール形態部(209,258,284)と前記中間ソール部(234,256)との間に段差(262)を設けてなることを特徴とする靴。
【請求項３】
少なくとも、アウトソール部(104)とアッパー部(106)とにより構成される靴(100)において、少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、前記擬似ヒール形態部(209,258,284)を前記中間ソール部(234,256)に対して外方に突出させることで段差(262)を設けたことを特徴とする靴。
【請求項４】
少なくとも、アウトソール部(104)とアッパー部(106)とにより構成される靴(100)において、少なくとも前記アッパー部(106)における踵保持部(162)に相対する外面に擬似アウトソール形態部(156)における擬似ヒール形態部(209,258,284)を表すと共に、前記アッパー部(106)の爪先部(116)と前記擬似ヒール形態部(209,258,284)との間の前記アッパー部(106)に三角形状の中間ソール部(234,256)を配置し、前記擬似ヒール形態部(209,258,284)を前記中間ソール部(234,256)に対して外方に突出させることで段差(262)を設けると共に、前記中間ソール部(234,256)を前記擬似ヒール形態部(209,258,284)に対し暗色にしてなることを特徴とする靴。
【手続補正２】
【補正対象書類名】明細書
【補正対象項目名】全文
【補正方法】変更
【補正の内容】
【発明の詳細な説明】
【技術分野】
【０００１】  本発明は、靴、特に、錯覚により実際の身長よりも低い身長のイメージを持たせる靴に関する。  詳しくは、少なくともアウトソール部とアッパー部とを有する靴において、アッパー部に擬似アウトソール部形態を表すことにより錯覚によって実際の身長よりも低い身長のイメージを持たせる靴に関する。【０００２】  本明細書において、アウトソール部とは、靴底がアウトソール部のみの場合はそのアウトソール部、及び、アウトソール部とミドルソール部との組み合わせである場合はそれらアウトソール部とミドルソール部を合体した部分を表すものとして用いている。  また、擬似アウトソール部とは前記アウトソール部と重ならない部分、即ち、アッパー部に相当する部分に表された偽のアウトソール形態部分をいう。
【背景技術】
【０００３】図19に示すように、従来の靴10は大凡、靴底たるアウトソール部12、足の側面及び上面を覆うアッパー部14よりなり、ビジネス用等の場合、さらにタン部16及び靴紐18を備えるが、これらを備えない靴もある。  従来、身長に関する問題を解決する発明としては、身長を高く見せる発明がその全てを占めていた。その第１の従来技術として、靴10のアウトソール部12の一部である踵部20を高くするものが知られている(例えば、特許文献１参照)。  第２の従来技術として、ミドルソール部を厚めにすることにより、身長を高く見せるものが知られている(例えば、特許文献２参照)。
【先行技術文献】
【特許文献】
【０００４】
【特許文献１】特開2015-116434（図１〜図８、段落番号0008〜0019）
【特許文献２】特開2003-164303（図4〜図6、段落番号0007〜0010）
【発明の概要】
【発明が解決しようとする課題】
【０００５】前述したように、身長が低い人の悩みを解消する発明は多数存在し、それらの一部が実用化され、低身長コンプレックスを緩和する効果を上げている。一方、身長が高い人の中には、高身長コンプレックスを持っている人もいる。例えば、身長が高い女性の中には、その身長故、「かわいげが無い」と言われたり、「かわいい系の服を着たいが似合っていないと思われるから着られない」と考えたり、「ハイヒールを履きたいがついつい底ヒールの靴を買ってしまう」等の悩みを抱えている者もおり、極端な場合、うつ病になる人もいる。これらの悩みを解消する手立てとして、身長を高く見せる靴とは真逆の身長を低く見せる靴を提供することが考えられるが、現在のところそのような靴は全く存在してない。【０００６】  本発明の基本的目的である第１の目的は、人の視覚（目）の錯覚を利用して身長を低く見せる靴を提供することである。  本発明の従たる目的である第２の目的は、第１の目的に加え、安価な、身長を低く見せる靴を提供することである。  本発明の従たる目的である第３の目的は、第１の目的に加え、安全に歩行することができる身長を低く見せる靴を提供することである。
【課題を解決するための手段】
【０００７】  この目的を達成するため、本発明に係る第１の発明は以下のように構成されている。【０００８】第１の発明は、少なくとも、アウトソール部とアッパー部とにより構成される靴において、少なくとも前記アッパー部における踵保持部に相対する外面に擬似アウトソール形態部における擬似ヒール形態部を表すと共に、前記アッパー部の爪先部と前記擬似ヒール形態部との間の前記アッパー部に三角形状の中間ソール部を配置し、当該中間ソール部を暗色部にしたことを特徴とする靴である。【０００９】  第２の発明は、少なくとも、アウトソール部とアッパー部とにより構成される靴において、少なくとも前記アッパー部における踵保持部に相対する外面に擬似アウトソール部形態における擬似ヒール形態部を表すと共に、前記アッパー部の爪先部と前記擬似ヒール形態部との間の前記アッパー部に三角形状の中間ソール部を配置し、前記擬似ヒール形態部と前記中間ソール部との間に段差を設けてなることを特徴とする靴である。【００１０】  第３の発明は、少なくとも、アウトソール部とアッパー部とにより構成される靴において、少なくとも前記アッパー部における踵保持部に相対する外面に擬似アウトソール形態部における擬似ヒール形態部を表すと共に、前記アッパー部の爪先部と前記擬似ヒール形態部との間の前記アッパー部に三角形状の中間ソール部を配置し、前記擬似ヒール形態部を前記中間ソール部に対して外方に突出させることで段差を設けたことを特徴とする靴である。【００１１】  第４の発明は、  少なくとも、アウトソール部とアッパー部とにより構成される靴において、少なくとも前記アッパー部における踵保持部に相対する外面に擬似アウトソール形態部における擬似ヒール形態部を表すと共に、前記アッパー部の爪先部と前記擬似ヒール形態部との間の前記アッパー部に三角形状の中間ソール部を配置し、前記擬似ヒール形態部を前記中間ソール部に対して外方に突出させることで段差を設けると共に、前記中間ソール部を前記擬似ヒール形態部に対し暗色にしてなることを特徴とする靴である。
【発明の効果】
【００１２】  第１の発明において、アウトソール部に隣接するアッパー部には、擬似アウトソール形態部が設けられている。これにより、人はアッパー部に描かれた擬似アウトソール部上に人の踵があると錯覚し、錯覚した踵位置から頭頂までを実際の身長であると錯覚する。よって、第１の発明は、本願発明の基本的目的である第１の目的を達成できる利点がある。なお、第２乃至第４の発明においては、本願発明の基本的目的たる第１の目的に加え、他の目的をも達成できるが、少なくとも第１の目的を達成できる場合には、本願発明の技術的範囲に属するものである。【００１３】  第１の発明においては、さらに、アッパー部の爪先部と前記擬似ヒール形態部との間の前記アッパー部に三角形状の中間ソール部を設け、当該中間ソール部を暗色部に表したので、人はアッパー部に表した擬似ヒール形態部が際立つった印象を受け、一層、実際の踵部がアッパー部（擬似アウトソール部）に表された擬似ヒール形態部の上にあると錯覚させられる。よって、より一層第１の目的を達成できる利点がある。【００１４】第２の発明においては、第１の発明と同様に、アッパー部には擬似アウトソール形態部が設けられているので、本願発明の基本的目的である第１の目的を達成できる利点がある。さらに、アッパー部の爪先部と擬似ヒール形態部との間のアッパー部に三角形状の中間ソール部が形成されているので、そのミドルソール部が足裏下の空間であると錯覚させるから、より一層、踵部が擬似アウトソール部に表された擬似ヒール形態部の上にあると錯覚させられる。よって、第１の目的を更に達成できる利点がある。【００１５】第３の発明においては、第１の発明と同様に、アッパー部には擬似アウトソール形態部が設けられているので、本願発明の基本的目的である第１の目的を達成できる利点がある。また、アッパー部の爪先部と擬似ヒール形態部との間のアッパー部に三角形状の中間ソール部を形成し、さらに、当該中間ソール部を構成する擬似ヒール形態部を中間ソール部よりも外方に突出させて段部を構成したので、より一層、踵部がアッパー部に表された擬似ヒール形態部の上にあると錯覚させられる。よって、第１の目的を更に達成できる利点がある。【００１６】第４の発明においては、第１の発明と同様に、アッパー部には擬似アウトソール形態部が設けられているので、本願発明の基本的目的である第１の目的を達成できる利点がある。また、アッパー部の爪先部と擬似ヒール形態部との間の前記アッパー部に三角形状の中間ソール部を表し、さらに、当該中間ソール部を構成する擬似ヒール形態部を中間ソール部よりも外方に突出させて段部を構成すると共に、当該中間ソール部を擬似ヒール形態部よりも暗色部にしたので、より一層、踵部が擬似ヒール形態部の上にあると錯覚させられる。よって、第１の目的を更に達成できる利点がある。
【図面の簡単な説明】
【００１７】
【図１】図１は、本発明にかかる参考例１の右足用の靴の右上方からの斜視図である。
【図２】図２は、本発明にかかる参考例１の右足用の靴の右上方からの分解斜視図である。
【図３】図３は、本発明にかかる参考例１の右足用の靴の右側面図(土踏まず側)である。
【図４】図４は、本発明にかかる参考例１の右足用の靴の長手方向における縦断面図である
【図５】図５は、本発明にかかる参考例１の靴の効果説明図である。
【図６】図６は、本発明にかかる参考例２の左足用の靴の左側面図(反土踏まず側)である。
【図７】図７は、図６におけるＸ−Ｘ線横断面図である。
【図８】図８は、本発明にかかる参考例３の靴の図７と同一位置での横断面図である。
【図９】図９は、本発明にかかる参考例４の靴の図７と同一位置での横断面図である。
【図１０】図１０は、本発明にかかる実施例１の左足用の靴の右上方からの斜視図である。
【図１１】図１１は、本発明にかかる実施例１の左足用の靴の側面図である。
【図１２】図１２は、本発明にかかる実施例１の左足用の靴の縦断面図である。
【図１３】図１３は、本発明にかかる実施例２の左足用の靴の右上方からの斜視図である。
【図１４】図１４は、本発明にかかる実施例２の左足用の靴の底面図である。
【図１５】図１５は、本発明にかかる実施例２の左足用の靴の左下側からの斜視図である。
【図１６】図１６は、本発明にかかる実施例２の左足用の靴の図１３におけるＹ平面における断面である。
【図１７】図１７は、本発明にかかる実施例３の右足用の靴の右上方からの斜視図である。
【図１８】図１８は、本発明にかかる実施例３の右足用の靴の左側面図である。
【図１９】図１９は、従来の左足用の靴の左側面図である。
【発明を実施するための形態】
【００１８】本発明は、人の視覚（目）の錯覚を利用して身長を低く見せる靴を提供するという第１の目的を、少なくとも、アウトソール部とアッパー部とにより構成される靴において、少なくとも前記アッパー部における踵保持部に相対する外面に擬似アウトソール部形態における擬似ヒール形態部を表すと共に、前記アッパー部の爪先部と前記擬似ヒール形態部との間の前記アッパー部に三角形状の中間ソール部を配置し、当該中間ソール部を暗色部にしてなることにより実現した。
【００１９】  本発明の参考例１を図１〜４を参照しつつ説明する。 参考例１の靴100は、運動靴102の例であって、少なくとも、アウトソール部104、アッパー部106、及び、擬似アウトソール部108によって構成されている。本参考例１においては、更に、タン部110及び、靴紐112によって構成されている。なお図１乃至図４は右足用の運動靴102Rであり、図５は左足用の運動靴102Lであるが、周知のように右足用及び左足用の運動靴は左右対称に同一構造に構成されている。
【００２０】  まずアウトソール部104を説明する。アウトソール部104は、靴底であり、人の足HFの足裏SFを地面上の危険物から保護すると共に、着地時の衝撃を緩和する機能、及び、アッパー部106の下端部が固定される機能を有し、一般的にウレタン樹脂等の弾性を有する合成樹脂やゴムによって、大凡足形に成型される。足形とは、全体的に楕円形であって、土踏まず部104Aが爪先部104Tと踵部104Hに対してくびれて狭幅になったひょうたん型の他、くびれ部が無い楕円形状を含む概念である。アウトソール部104の厚みは、大凡均一である。しかし、踵部104H側から爪先部104T側に向かって徐々に薄くなるように構成しても良い。
【００２１】  次にアッパー部106を説明する。  アッパー部106は、足HFの足側面LF、足上面IF、及び、踵FHを覆う機能を有すると共にアウトソール部104と共に靴100全体を足HFに一体化させる機能を有し、その材質は用途に応じ、布、皮革、人工皮革、樹脂、及び、ゴム等によって成形されている。  アッパー部106は、足の足側面LF及び甲IFを覆う機能から、大略、爪先部116、中央部118、及び、擬似踵部120によって錐形楕円型に形成され、その下端部は、アウトソール部104の上面、上側面、又は、側面全周に縫合又は接着等によって強固に固定される。  爪先部116は土踏まずAFに相対する中央部118までを意味し、先端部分122は閉止されると共に爪先部116の左側壁124、右側壁126、及び、天壁128により短手方向断面がドーム型に形成されている。土踏まず部114は、爪先部116に連続して大凡土踏まずAFに相対し、アウトソール部104に対して大凡垂立し、それらは大凡並行する左中央側壁132と右中央側壁134(見えない)とにより形成され、その下端部は、アウトソール部104の上面又は側面に強固に縫合、又は、接着によって固定されている。擬似踵部120は、土踏まず部114に連続して踵FHの上側を囲うように横向きの三次元のドーム状に形成され、外見上、真の踵部と見誤るように形成されている。アッパー部106は、その下端部の全周がアウトソール部104の側面に配置される場合、その下端部も一部は上下方向においてアウトソール部104と重なっているので、その重なり部分は、実質的にアッパー部106ではない。よって、本明細書においては、アウトソール部104と重なり合わない部分を実アッパー部130として説明する。  また、爪先部116から土踏まず部114の稜線部136には所定の間隔で開設された開口138の両側に羽部142(左羽部142L、右羽部142R)が形成され、靴紐112を引き通すための複数の紐孔144がそれぞれに同数穿孔されている。  本参考例１において、爪先部116の稜線部には補強及び外観向上のため、開口138から先端部分122に亘って先広がり状のトウ当て片146が貼付されている。また、擬似踵部120にも補強及び外観向上のため、踵部を包むように踵充て片148が貼付されている。  これらにより、運動靴102には、足HFがすっぽりと入る足形空間150が形成される。
【００２２】足形空間150内のアウトソール部104上には主に衝撃緩和機能を発揮させるため、アウトソール部104と同形状であるがやや小ぶりに形成されたミドルソール部152が配置されている。
【００２３】次に擬似アウトソール部108を説明する。擬似アウトソール部108は、第三者にアウトソール部104であると錯覚させる機能を有し、アッパー部106の所定位置の外面に形成され、外形がアウトソール部と見誤らせるような形態に形成されている。アッパー部106の所定の位置とは、アッパー部106の下端部における、少なくとも擬似踵部120に対する下方位置であるが、これに限定されず、アッパー部106の下端部の全周であっても良い。本参考例１における擬似アウトソール部108は第１擬似アウトソール部154であり、アッパー部106の下端部の中央部118から擬似踵部120の下方かけて表されている。擬似アウトソール部108(第１擬似アウトソール部154)は、少なくとも擬似アウトソール形態部156を含み、更に、擬似アッパー部境界部158を含むことが好ましい。更にまた、靴100、したがって運動靴102は足形空間150に突出する踵保持部162を含んでいる。
【００２４】最初に擬似踵部120を説明する。擬似踵部120は、外見上、足HFの踵FHが位置するように見誤る形態に形成されている。具体的には、アッパー部106における足HFの踵FHが擬似踵保持部158に保持されているように見せかける形態に形成されている。具体的には。擬似踵部120は、運動靴102の後端部上部に形成された横向きドーム型をしている。
【００２５】次に擬似アウトソール形態部156を説明する。擬似アウトソール形態部156は、外見上、アウトソール部104に見誤る形態に形成されている。本参考例１においては、側面視において擬似アウトソール部下縁164は略直線状であり、擬似アウトソール部上縁166は中央部が最も高い山形に形成された擬似アウトソールテープ体168によって形成されている。擬似アウトソールテープ体168の中間部は、アウトソール部104の側面及びアッパー部106の下部側面に相対して配置され、擬似踵部120の下方から爪先部116へ向かって延伸されて中央部118と爪先部116との境目近傍まで延在され、その後一定の幅で先端部分122へ延長されている。擬似アウトソールテープ体168の外表面はアウトソール部104を印象づける形態、例えば、天然ゴム又は皮革を連想させるキャラメル色、獣皮表面を連想させる微細凹凸、アッパー部106とは全く異なる二次元若しくは三次元模様、又は、アッパー部106に対し突出する段差を形成する厚み等に処理されている。更には、アッパー部106の表面がレザー調、かつ、擬似アウトソール形態部156がエンボス調、若しくは、アッパー部106と異なるレザー調、又は、アッパー部106が布地調、擬似アウトソール形態部156がレザー調に処理することができる。さらに、アッパー部106の下部の外表面に印刷又は描画によって、擬似アウトソール形態部156を表すことができる。靴100を大量生産する場合、アッパー部106の下端部を型によって樹脂成形し、又は、印刷することが適している。同一品を大量生産することで、コストを低減できるからである。したがって、擬似アウトソールテープ体168の擬似アウトソール部上縁166、とアッパー部106の擬似アッパー部下縁170とは同一部位を表している。擬似アウトソール部上縁166（擬似アッパー部下縁170）と擬似踵部120との位置関係は、足裏SFと踵FHとの関係において自然なレイアウトを印象づける寸法関係に配置されている。
【００２６】次に擬似アッパー部境界部158を説明する。擬似アッパー部境界部158は、擬似アウトソール部上縁166（擬似アッパー部下縁170）と同一部分を表し、外見上、アウトソール部104とアッパー部106との境界と見間違わせるような形態、例えば、一筋の線、段差、色違い等によって構成されている。本参考例１において、擬似アウトソールテープ体168が所定の厚みを有することから、アッパー部106との境界部においては、擬似アウトソールテープ体168がアッパー部106よりも僅かに外方へ突出し、一本の線状、又は、段差状に見えるように構成されている。
【００２７】次に踵保持部162を説明する。  踵保持部162は、靴100内に位置する足HFの踵FHが上方にずり上がらないようにする保持機能を有し、本参考例１においては、擬似踵部120よりも下方の足形空間150において、爪先部116側へ僅かに突出する踵保持凸部172によって構成されている。利用者が靴100、したがって、運動靴102を履いた場合、踵FHにおける上向部HUが踵保持凸部172の下向き斜面173に接触し、容易に踵FHが踵保持部162に対しずり上がらないように構成されている。この踵保持凸部172は、弾性を有するスポンジ等によって構成され、足HFに圧迫感を与えないようになっている。本参考例１において、踵保持部162（踵保持凸部172）は側面から見た場合、水平方向において、擬似アウトソール部上縁166に対し僅か上方に配置されている。しかし、擬似アウトソール部上縁166を更に上方に配置することにより、踵保持部162を擬似アウトソール形態部156に対し水平方向において並んで配置することもできる。
【００２８】 参考例１における擬似アウトソール形態部156は、アッパー部106の少なくとも擬似踵部120よりも下方に表した第１擬似アウトソール部154である。すなわち、本参考例１において、アッパー部106はその下端がミドルソール部152及びアウトソール部104の側面に相対する位置まで延在して形成されている。さらに、ミドルソール部152に相対する部分の上方にもアウトソールのイメージを生じさせる形態に第１擬似アウトソール形態154が施されている。換言すれば、擬似アウトソールテープ体168が貼り付けられている。したがって、本参考例１においては、ミドルソール部152よりも上方におけるアッパー部106の外面に表れた第１擬似アウトソール部154の擬似アウトソール部上縁166（擬似アッパー部下縁170）上に足HFの踵FH部の足裏SFが位置しているとの印象を受ける。換言すれば、擬似アウトソール形態部156は、踵保持部162(踵充て片148)の側方に位置することになる。これにより、人Hは外見上、擬似アウトソール形態部156の擬似アッパー部境界部158（擬似アウトソール部上縁166）の上に実際の足HFの踵FHが載っているものと錯覚し、結果的に、その人Hの身長は、擬似アウトソール部上縁166から頭頂HTまでが身長LFであると錯覚する。本参考例１において、第１擬似アウトソール部154に相対する水平方向には、土踏まずAF、及び、側面LF及び踵FHの左右側面が位置している。しかし、擬似アウトソール形態部156は踝ANFの直下辺りまで表すことができる。しかし、踝ANFの側方まで延在させた場合、足HFと靴100との間の距離感のバランスが不自然で違和感を生じるのであまり好ましくない。
【００２９】  次にタン部110を主に図４を参照して説明する。  タン部110は、靴紐112を締めた場合、運動靴102を足HFにぴったりと適合させる機能を有し、本参考例１においては角部に丸みを付した横長矩形に形成され、そのタン部先端部174は爪先部116の上部内面に固定され、タン部中間部176とタン部後端部178はアッパー部106に固定されておらず、靴紐112を締めていない場合、自由に動くことができる。タン部中間部176は開口138よりも広幅に形成されると共に開口138に相対して配置され、及び、タン部後端部178は、開口138よりも擬似踵部120側に僅かに延在した位置に配置され、足形空間150の上端開口である足挿入口180を形成する。タン部110は、足HFの甲IFと接触するため、適度の弾力（柔軟）性をもった材料、例えば、ウレタンスポンジを内蔵した布袋や外面側にウレタンシートを配置し、内面にウレタンスポンジを配置したシートによって構成されることが好ましい。本参考例１において、タン部110は、通常のタン部よりも厚く形成されている。後述するように、実際の足HFの踵部FHは、外見上踵部FHが位置すると見誤る擬似踵部120よりも下方、したがって、ミドルソール部152及びアウトソール部104に近い位置にあるため、運動靴102を足HFにぴったりと適合させて一体化するには、タン部110を厚くする必要があるからである。足挿入口180は、タン部後端部178、左中央側壁132、右中央側壁134、及び、擬似踵部120によってリング状に形成されている。
【００３０】次に靴紐112を説明する。靴紐112は、開口138の左右に配置された左羽部142Lと右羽部142Rとの距離を縮めてタン部110を足HFの甲FIに適度に押しつけて運動靴102を足HFにフィットさせる機能を有し、本参考例１においては、所定長さの靴紐112を最も爪先部116側の紐孔144に通した後、反対側の紐孔144に引き通すことを繰り返して最も擬似踵部120側の紐孔144に通してある。これにより、左羽部142Lと右羽部142Rとを近づけるように靴紐112を締め上げることにより、足HFに運動靴102を一体化することができる。
【００３１】次に本参考例１の運動靴102を人Hが履いた場合の作用・効果を説明する。  実施例１の運動靴102を人Hが履いた場合、図５に示すように、外見上の身長に影響を与える踵FHの足裏SFは、ミドルソール部152の上面上にあるので、実際の身長は、ミドルソール部152から頭頂HTまでの距離LTである。しかしながら、靴100の外面に表れる第１擬似アウトソール部154における擬似アッパー部境界部158（擬似アウトソール部上縁166、擬似アッパー部下縁170）は、実際に踵FHが載っているミドルソール部152の上面よりも長さLD分上方に位置している。よって、人Hを見た他人は、第１擬似アウトソール部154の擬似アウトソール部上縁166（擬似アッパー部境界部158）から頭頂HT迄の距離LFが人Hの身長であると錯覚する。すなわち、長さLD分、実際の身長よりも低いと錯覚させることができる効果がある。
【００３２】  次に参考例２を図６及び図７を参照して説明する。 参考例１と同一機能部分には同一符号を付して説明を省略し、異なる構成を説明する。 参考例２も運動靴184の例であるが、参考例１と最も異なる構成は、アッパー部106の下部における外面全周に擬似アウトソール形態部156である第２擬似アウトソール部形態部186を表した例である。すなわち、アッパー部106の下端部全周に第２擬似アウトソール部形態部186が形成されている。第２擬似アウトソール部形態部186も実施例１と同様に、アウトソール部104を連想させる形態に構成されている。本参考例２においては、図７に示すように、アウトソール部104及びアッパー部106の下端部の外側面全周に擬似アウトソール形態部156用の所定の厚み及び幅を有する第２擬似アウトソールテープ体188が貼り付けられている。しがたって、ミドルソール部152は第２擬似アウトソールテープ体188の下部側方に位置し、第２擬似アウトソールテープ体188の第２擬似アウトソール部上縁190は擬似アッパー部境界部158であり、本参考例２においては足の親指BTの頂部よりも上方位置において、アッパー部106の外周面全周に位置し、外見的には第２擬似アウトソール部段差192(擬似アッパー部境界部158)が形成される。したがって、外見上は、第２擬似アウトソール部段差192に接して足HFの裏面SFが位置していると錯覚する。また、擬似踵部120よりも下方の第２擬似アウトソールテープ体188に対し、水平方向において相対する位置であって、足形空間150の内面の中間には踵充て片148が設置され、踵FHがミドルソール部152の上面から離れない様に構成されている。換言すれば、踵保持部162が擬似踵部120よりも下方に位置する第２擬似アウトソール部形態部186の側方に配置されている。したがって、外見上の擬似踵部120は当該踵充て片148よりも上方に配置されている。さらに、タン部110は、足HFの足裏SFがミドルソール部152の上面から浮き上がらないように、通常の運動靴よりは大幅に大きい厚み及び弾性を持って構成されている。
【００３３】 参考例２の運動靴184を履いた人Hは、参考例１と同様に、ミドルソール部152の上面から頭頂HTまでが実際の身長LTである。しかし、第２擬似アウトソール部上縁190は、ミドルソール部152の上面から頭頂HTまでの距離LFである。これを見た他の人は、第２擬似アウトソール部形態186の第２擬似アウトソール部上縁190から頭頂HTまでの高さを実際の身長であると錯覚する。換言すれば、実際の身長LTよりも長さLD分低い身長LFであると錯覚する。よって、参考例２も第１の目的を達成できる。特に、参考例２は、靴100の全周に第２擬似アウトソール部形態部186が表されているので、見る人がどの角度から見ても錯覚する。換言すれば、見る人がどの角度から見ても身長が長さLD分低いと錯覚する利点がある。
【００３４】  次に参考例３を図８を参照して説明する。 参考例３は、参考例２と同様の位置での横断面図であり、参考例２と異なる構成を説明すると、第３擬似アウトソールテープ体196は実施例２よりも厚く形成された帯状をしており、アッパー部106は第３擬似アウトソールテープ体196に隣接配置される下部アッパー部106Lと上方に配置される上部アッパー部106Uとにより構成され、上部アッパー部106Uの下端部が大凡直角に折り曲げられた後、第３擬似アウトソールテープ体196の上端面に縫合又は接着等により固定された構成になっている。したがって、上部アッパー部106Uの下端部、実質的には第３擬似アウトソールテープ体196の上面によって、擬似アウトソール部形態156の擬似アウトソール部上縁166たる第３擬似アウトソール部段差196Bが形成される。この第３擬似アウトソール部段差196Bが第３擬似アウトソール部上縁196Eになる。
【００３５】  本参考３において、第３擬似アウトソール部上縁196Eが参考例２における第２擬似アウトソール部上縁190と同一の機能を果たすことから、他の人は、第３擬似アウトソール部形態196の擬似アウトソール部上縁166たる第３擬似アウトソール部上縁196Eから頭頂HTまでの高さを実際の身長であると錯覚し、参考例３も第１の目的を達成できる。さらに、第３擬似アウトソール部段差196Bは実施例２よりも幅広であるから、実際のアウトソール部上縁との印象を強く与え、より一層、錯覚しやすくする効果がある。
【００３６】  次に参考例４を図９を参照して説明する。 参考例４は、参考例２と同様の位置での横断面図であり、参考例２と異なる構成を説明すると、アッパー部106が第２擬似アウトソールテープ体188と同様の第４擬似アウトソールテープ体198の上面の外方に突出されてオーバーハング部106OHを形成した後、垂立する構成になっている。したがって、アッパー部106のオーバーハング部106OHによって、アッパー部106の擬似アッパー部下縁170たる第４擬似アッパー部下縁198Bが形成される。この第４擬似アッパー部下縁198Bが第４擬似アウトソール部上縁198Eになる。
【００３７】  本参考例４において、第４擬似アッパー部下縁198Bが実施例２における第２擬似アウトソール部上縁190と同一の機能を果たすことから、他の人は、第４擬似アッパー部下縁198B（第４擬似アウトソール部上縁198E）から頭頂HTまでの高さを実際の身長であると錯覚し、参考例４も第１の目的を達成できる。さらに、第４擬似アウトソール部形態196Bは実施例２よりも明確であるから、実際のアウトソール部上縁との印象を強く与え、参考例３と同様に、より一層、錯覚しやすくする効果がある。
【実施例１】
【００３８】次に実施例１を図10〜図12を参照して説明する。実施例１は、女性用の靴100であり、ウエッジソールを採用したショートブーツ200に適用した例であり、図10〜図12は左足用のショートブーツ200である。参考例１と同一機能部分には同一符号を付して説明を省略し、異なる構成を説明する。ショートブーツ200も参考例１と同様に、アウトソール部104、アッパー部106、及び、擬似アウトソール形態部156を含んでいる。【００３９】初めに、本実施例１におけるアウトソール部104を説明する。本実施例１におけるアウトソール部104は、一定の厚みを有し、革製、樹脂製又はゴム製であって、平面視足形状をした平板状の第５アウトソール部202である。【００４０】次に、本実施例１におけるアッパー部106を説明する。アッパー部106は、第５アウトソール部202の上面の輪郭に沿って固定された末広がり筒状体であり、革、合成皮革、樹脂、又は、ゴム等により形成された第５アッパー部204である。第５アッパー部204は、足HFの足側面LF及び甲IFを覆う機能から、大略、第５爪先部206、第５擬似踵部208、第５擬似ヒール形態部209、第５中央部212、及び、足回部214によって錐形楕円型に形成され、その下端は、第５アウトソール部202の上面に縫合又は接着等によって強固に固定されている。  第５爪先部206は土踏まずAFに相対する第５中央部212との境までを指し、第５先端部分216は閉止されると共に、第５先端部分216に続く第５左側壁218、第５右側壁220、及び、甲覆222により短手方向断面がドーム型に形成されている。第５中央部212は、第５爪先部206に連続して大凡土踏まずAFに相対し、第５アウトソール部202に対して垂立し、それらは大凡並行する第５左中央側壁224と第５右中央側壁226とにより形成されている。第５擬似踵部208は、第５中央部212に連続して踵FHを囲うように平面視アーチ型であって、半円形樋状に形成され足回部214の後側下部に形成されている。第５アッパー部204は、その下端部の全周が第５アウトソール部202の側面に配置される場合、その一部は上下方向において第５アウトソール部202と重なっているので、その重なり部分は、実質的に第５アッパー部204ではない。よって、本明細書においては、第５アウトソール部202と重なり合わない部分を第５アッパー部204として説明する。第５アウトソール部202の第５爪先部206に相対する部分は所定の厚みを有し、第５アッパー部204の下端部に対し僅かに横方向へ突出するように形成されている。換言すれば、第５アウトソール部202と第５アッパー部204の間には爪先部段差210が形成されている。【００４１】  次に、擬似アウトソール部形態156たる第５擬似アウトソール部形態228を説明する。第５擬似アウトソール部形態228は、第５爪先部206から第５中央部212までは第５アウトソール部202と同一であり、第５中央部212から第５擬似踵部208に対し施されたウエジソール形態230に表されている部分が相当する。ウエジソール形態230は、図10及び図11においては、第５中央部212の第５爪先部206側から第５擬似踵部208側へ右肩上がりに急角度で上昇した後、やや緩やかな角度になって第５擬似踵部208に達している。すなわち、第５擬似アウトソール部形態228（ウエジソール形態230）は、図11における側面視、アウトソール部104における爪先部段差210に続いてウエッジソール部段差232が形成され、当該ウエッジソール部段差232は、足HFの甲IFの側方から踵FHの側方にかけて順次上方に位置するように右肩上がりに形成されている。したがって、実施例１において、擬似アッパー部境界部158、したがって、擬似アウトソール部上縁166及び擬似アッパー部下縁170はウエッジソール部段差232である。ウエッジソール部段差232から第５アウトソール部202まで大凡垂下する壁面は、第５アウトソール部202と一体に見間違われるように、下方の第５アウトソール部202と同様の形態に形成されている。具体的には、第５擬似アウトソール部形態228は、第５爪先部206に位置する第５アウトソール部202に接続する第５中間ソール部234、第５擬似ヒール形態部209、及び、第５中間ソール部234と第５擬似ヒール形態部209との間に形成された直角三角形状の暗色部238を含んでいる。第５擬似アウトソール部形態部228における第５擬似ヒール形態部209に相対する靴内面に第５踵宛て片240が形成されている。換言すれば、第５踵保持部246が第５擬似アウトソール部形態部228に対し、水平方向において並んで配置されている。第５踵宛て片240は、水平位置において、第５擬似アウトソール部形態228の側方の内面に突出形成され、人Hの踵FHが上方にずれようとした際、引っかかって、ずり上がらず、踵FHが第５ミドルソール部242から離れないように保持する機能を有する。【００４２】  次に第５中間ソール部234を説明する。  第５中間ソール部234は、土踏まずAFの下方に恰も空間が存在するかのように錯覚させる機能を有するように構成され、本実施例１においては大凡直角三角形状を呈し、後述するように暗色部238に構成されている。第５中間ソール部上縁235は、第５アウトソール部202に続いて緩やかな曲線を描いて約30度の角度で上昇した後、約15度の角度に傾斜する傾斜部であり、その上側に隣接して爪先部段差210に続くウエッジソール部段差232が形成され、擬似アウトソール部上縁166たる第５擬似アウトソール部段差244を構成している。この第５擬似アウトソール部段差244は、踝AUFの側方におけるやや下方に位置している。第５擬似アウトソール部段差は、通常段差244とも称される。【００４３】  次に第５擬似ヒール形態部209を説明する。  第５擬似ヒール形態部209は、第５アウトソール部202から垂立し、所定高さを有するヒール形態が表されている。例えば、第５擬似ヒール形態部209は、革製又は木製である印象を与えるため、茶褐色（キャラメル色）に着色され、同様に第５アウトソール部202及び第５擬似アウトソール部段差244も同色に表される。着色に変えて、着色シールを貼付することもできる。第５擬似ヒール形態部209は、第５擬似アウトソール部段差244の端部の下方に位置し、さらに、その上方に第５擬似踵部208が配置され、踵FHがその上に乗っているような錯覚を与えるように構成されている。したがって、側面から見た人は、爪先部段差210、第５擬似アウトソール部段差244を真の第５アウトソール部202の上端であると錯覚し、結果として、第５擬似踵部208に真の踵FHが位置すると錯覚させられる。【００４４】次に暗色部238を説明する。暗色部238は、土踏まずAFの真下に形成される空間を想起させる機能、換言すれば、第５擬似踵部208を、より一層、真の踵保持部であると錯覚させる機能を有する。第５中間ソール部234は、第５爪先部206、第��擬似アウトソール部段差244、及び、第５擬似ヒール形態部209よりも暗く見せる処理が施された部分である。換言すれば、第５中間ソール部234は、土踏まずAFの下方に空間が存在するように錯覚させることで第５擬似踵部208が真の踵保持部であると錯覚させる形態に形成された領域をいう。本実施例１においては、第５爪先部206、第５擬似アウトソール部段差244、及び、第５擬似ヒール形態部209よりも暗く見えるようにするため、それらよりも暗色、例えば、黒色、若しくは、相対的に暗色に着色され、周囲よりも暗い印象を与えることで、土踏まずAFの下方に空間領域があるように錯覚させるように構成されている。【００４５】次に足回部214を説明する。足回部214は、踝FHよりも上位の下肢Lが位置し、第５アッパー部204の上端に続く垂立筒状の部位である。第５爪先部206における甲IFから下肢Lに相対する足回部214の内側には、足HFが第５アウトソール部202（ミドルソール）から浮き上がって上方へ移動しないように第５爪先宛て片248、及び、足回部214の内側には足首宛て片250が配置されている。第５爪先宛て片248、及び、足首宛て片250は、足HF及び足首に圧迫感を与えないように、弾力性を有する材料で形成されるが、柔らかすぎる場合、足HFの保持性に影響を与えるので、適度な堅さに設定されている。【００４６】次に実施例１の作用を説明する。まず、ショートブーツ200を履く場合、爪先部FTを足回部214の上端開口から挿入し、第５爪先部206まで進入させる。この状態において、足裏SFは第５ミドルソール部242に密着し、踵FHは第５踵宛て片240の突出部よりも下方に位置している。よって、甲IFは第５爪先宛て片248に密着し、足HFとショートブーツ200は一体化され、人Hが歩行・走行する際に支障となることは無い。この状態において、踵FHは第５ミドルソール部242上に位置している。しかし、外見的には第５擬似アウトソール部段差244上に踵FHが位置するように見えるので、第５擬似アウトソール部段差244から頭頂HTまでが真の身長であると錯覚し、実際の身長よりも低く錯覚させる効果がある。
【実施例２】
【００４７】次に実施例２の靴100を図13乃至図16を参照して説明する。本実施例２は、実施例１と同様にショートブーツ200（左足）の例であるが、第６中間ソール部256が実施例５の第５中間ソール部234の形態と異なる以外は実施例１と同様に、第６アウトソール部252、第６アッパー部254、第６擬似ヒール形態部258及び第６擬似踵部260を備えている。本実施例２における第６中間ソール部256は、第６擬似ヒール形態部258との間に第６段差部262を形成することにより、第６中間ソール部256が第６擬似ヒール形態部258よりも凹んだように見せるように形成されている。具体的には、第６アウトソール部252の第６踵部264から所定の幅で垂立する第６擬似ヒール形態部258と第６中間ソール部256との間にほぼ垂立する第６段差部262が形成されている。第６中間ソール部256、及び、第６段差部262はショートブーツ200の左右に形成されているので、左側部分に同一数字に対しL、右側部分には同一数字にRを付することにより説明を省略する。具体的には、第６段差部262は、第６擬似ヒール形態部258を第６中間ソール部256よりも横方向に突出させて形成してある。その理由は、第６中間ソール部256、及び、第６擬似ヒール形態部258は第６擬似アウトソール部266であり、その位置には足HFが位置するので、第６段差部262を形成する場合、第６擬似ヒール形態部258を外方へ突出させる必要があるからである。本実施例２における第６段差部262は、下方から上方に位置するにしたがって突出量が小さくなる三角形に形成されている。また、第６段差部262と第６中間ソール部256とは同一色にて着色することができるが、第６擬似ヒール形態部258が革製又は木製であること醸し出すため、第６擬似ヒール形態部258を茶褐色、第６中間ソール部256を黒色に着色することができる。着色する場合、第６中間ソール部256の色は、第６擬似ヒール形態部258よりも暗色にすることが好ましい。暗色である場合、第６中間ソール部256が空間であると錯覚させる確率が高まるからである。第６擬似踵部260は、踵FHを包み込んで保持するように、三次元的な横向きドーム型に形成され、外見上、真の踵保持部であると見間違う形状に形成されており、第６擬似ヒール形態部258に対し上側に形成されている。なお、第６段差部262は、他人の目に曝す機会が多い外側部、本実施例２では左側の第６段差部262Lにのみ形成し、右側の第６段差部262Rは暗色に表すことでもよい。【００４８】次に、本実施例２の作用を説明する。まず、ショートブーツ200を履く場合、爪先部FTを足回部214の上端開口から挿入し、第５爪先部206まで進入させる。この状態において、足裏SFは第５ミドルソール部242に密着し、踵FHは第５踵宛て片240の最突出部よりも下方に位置している。甲IFは第５爪先宛て片248に密着し、足HFとショートブーツ200は一体化され、人Hが歩行・走行する際に支障となることは無い。この状態において、踵FHは第５ミドルソール部242上に位置している。しかし、外見的には第６擬似ヒール形態部258上に踵FHが位置すると共に第６擬似踵部260に踵FHが保持されるように見えるので、身長は第６擬似ヒール形態部258上端(擬似アッパー部境界部158)から頭頂HTまでであると錯覚し、実際の身長よりも低身長であると錯覚させる効果がある。
【実施例３】
【００４９】次に本実施例３を図17及び図18を参照して説明する。実施例３は、靴100として婦人用のウエッジソール型のパンプス268に本発明を適用した例である。パンプス268は、アウトソール部104たる第７アウトソール部272、アッパー部106たる第７アッパー部274、爪先部116たる第７爪先部276、擬似踵部120たる第７擬似踵部278、及び、第７擬似ヒール形態部284、ミドルソール部152たる第７ミドルソール部286、及び、擬似アウトソール形態部156たる第７擬似アウトソール形態部288を含んでいる。他の実施例又は参考例と異なる実施例３の構成を説明し、他の実施例又は参考例と同一又は同様の構成については同一符号を付し、説明を省略する。第７アッパー部274の第７中間ソール部290から第７擬似ヒール形態部284にかけて、図18においては右肩上がりに第７擬似アウトソール形態部288が形成されている。この第７擬似アウトソール形態部288は、印刷又は表面形態によって、第７アッパー部274の下部の表面をアウトソール状に見えるように構成されている。なお、第７中間ソール部290は、実施例６と同様に第７暗色部292にすることが好ましい。踵保持部162としての第７踵宛て片282が足形空間150に突出され、第７擬似アウトソール形態部288の水平方向に相対して形成されている。【００５０】次に実施例３のパンプス268の作用・効果を説明する。よって、人Hがパンプス268を履いた場合、踵FHは第７擬似ヒール形態部284に相対して設けられた第７踵宛て片282に保持され、踵FHが第７ミドルソール286から浮き上がること無く一体的に歩行することができる。しかし、外見的には、第７擬似踵部278に踵FHが保持され、かつ、第７擬似ヒール形態部284上に踵FHが位置するように錯覚し、当該人Hの身長は、擬似アッパー部境界部158上から頭頂HT迄であると錯覚し、人Hの身長を実際の身長よりも低いと錯覚する利点がある。
【符号の説明】
【００５１】104  アウトソール部106  アッパー部100  靴162  踵保持部156  擬似アウトソール部形態209,258,284擬似ヒール形態部116  爪先部234,256  中間ソール部244  第５擬似アウトソール部段差 
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
少なくとも、アウトソール部(202)とアッパー部(204)とにより構成される靴(100)において、
少なくとも前記アッパー部(204)は、爪先部FTを覆う爪先部(206)、前記爪先部(206)に連続して大凡土踏まず(AF)に相対配置された左中央側壁(224)及び右中央側壁(226)を含む中央部(212)、前記中央部(212)に連続して踵(FH)を囲うよう平面視アーチ型に形成された擬似踵部(208)を含み、
前記アッパー部(204)は、前記擬似踵部(208)の下方に擬似ヒール形態部(209,258,284)が表され、
靴(100)内部の踵保持部(246)が前記擬似ヒール形態部(209,258,284)に対し、水平方向において並んで配置され、
前記爪先部(206)と前記擬似ヒール形態部(209,258,284)との間の前記アッパー部(204)に三角形状の中間ソール部(234,256,290)が表され、
前記中間ソール部(234,256,290)を前記爪先部(206)、及び、前記擬似ヒール形態部(209,258,284)よりも暗く見せる処理が施された暗色部(238,292)にしたことを特徴とする靴。
【請求項２】
少なくとも、アウトソール部(202)とアッパー部(204)とにより構成される靴(100)において、
少なくとも前記アッパー部(204)は、爪先部FTを覆う爪先部(206)、前記爪先部(206)に連続して大凡土踏まず(AF)に相対配置された左中央側壁(224)及び右中央側壁(226)を含む中央部(212)、前記中央部(212)に連続して踵(FH)を囲うよう平面視アーチ型に形成された擬似踵部(208)を含み、
前記アッパー部(204)は、前記擬似踵部(208)の下方に擬似ヒール形態部(258)が表され、
靴(100)内部の踵保持部(246)が前記擬似ヒール形態部(258)に対し、水平方向において並んで配置され、
前記爪先部(206)と前記擬似ヒール形態部(258)との間の前記アッパー部(204)に三角形状の中間ソール部(256)が表され、
前記中間ソール部(256)を前記爪先部(206)、及び、前記擬似ヒール形態部(258)よりも暗く見せる処理が施された暗色部(238)にし、
前記擬似ヒール形態部(258)と前記中間ソール部(256)との間に段差(262)を設けてなることを特徴とする靴。
【請求項３】
少なくとも、アウトソール部(202)とアッパー部(204)とにより構成される靴(100)において、
少なくとも前記アッパー部(204)は、爪先部FTを覆う爪先部(206)、前記爪先部(206)に連続して大凡土踏まず(AF)に相対配置された左中央側壁(224)及び右中央側壁(226)を含む中央部(212)、前記中央部(212)に連続して踵(FH)を囲うよう平面視アーチ型に形成された擬似踵部(208)を含み、
前記アッパー部(204)は、前記擬似踵部(208)の下方に擬似ヒール形態部(258)が表され、
靴(100)内部の踵保持部(246)が前記擬似ヒール形態部(258)に対し、水平方向において並んで配置され、
前記爪先部(206)と前記擬似ヒール形態部(258)との間の前記アッパー部(204)に三角形状の中間ソール部(256)が表され、
前記中間ソール部(256)を前記爪先部(206)、及び、前記擬似ヒール形態部(258)よりも暗く見せる処理が施された暗色部(238)にし、
前記擬似ヒール形態部(258)を前記中間ソール部(256)に対して外方に突出させることで段差(262)を設けた
ことを特徴とする靴。
【手続補正２】
【補正対象書類名】明細書
【補正対象項目名】０００８
【補正方法】変更
【補正の内容】
【０００８】
第１の発明は、少なくとも、アウトソール部とアッパー部とにより構成される靴において、少なくとも前記アッパー部は、爪先部FTを覆う爪先部、前記爪先部に連続して大凡土踏まずに相対配置された左中央側壁及び右中央側壁を含む中央部、前記中央部に連続して踵を囲うよう平面視アーチ型に形成された擬似踵部を含み、前記アッパー部は、前記擬似踵部の下方に擬似ヒール形態部が表され、靴内部の踵保持部が前記擬似ヒール形態部に対し、水平方向において並んで配置され、前記爪先部と前記擬似ヒール形態部との間の前記アッパー部に三角形状の中間ソール部が表され、前記中間ソール部を前記爪先部、及び、前記擬似ヒール形態部よりも暗く見せる処理が施された暗色部にしたことを特徴とする靴である。
【手続補正３】
【補正対象書類名】明細書
【補正対象項目名】０００９
【補正方法】変更
【補正の内容】
【０００９】
第２の発明は、少なくとも、アウトソール部とアッパー部とにより構成される靴において、少なくとも前記アッパー部は、爪先部FTを覆う爪先部、前記爪先部に連続して大凡土踏まずに相対配置された左中央側壁及び右中央側壁を含む中央部、前記中央部に連続して踵を囲うよう平面視アーチ型に形成された擬似踵部を含み、前記アッパー部は、前記擬似踵部の下方に擬似ヒール形態部が表され、靴内部の踵保持部が前記擬似ヒール形態部に対し、水平方向において並んで配置され、前記爪先部と前記擬似ヒール形態部との間の前記アッパー部に三角形状の中間ソール部が表され、前記中間ソール部を前記爪先部、及び、前記擬似ヒール形態部よりも暗く見せる処理が施された暗色部にし、前記擬似ヒール形態部と前記中間ソール部との間に段差を設けてなることを特徴とする靴である。
【手続補正４】
【補正対象書類名】明細書
【補正対象項目名】００１０
【補正方法】変更
【補正の内容】
【００１０】
第３の発明は、少なくとも、アウトソール部とアッパー部とにより構成される靴において、
少なくとも前記アッパー部は、爪先部FTを覆う爪先部、前記爪先部に連続して大凡土踏まずに相対配置された左中央側壁及び右中央側壁を含む中央部、前記中央部に連続して踵を囲うよう平面視アーチ型に形成された擬似踵部を含み、前記アッパー部は、前記擬似踵部の下方に擬似ヒール形態部が表され、靴内部の踵保持部が前記擬似ヒール形態部に対し、水平方向において並んで配置され、前記爪先部と前記擬似ヒール形態部との間の前記アッパー部に三角形状の中間ソール部が表され、前記中間ソール部を前記爪先部、及び、前記擬似ヒール形態部よりも暗く見せる処理が施された暗色部にし、前記擬似ヒール形態部を前記中間ソール部に対して外方に突出させることで段差を設けたことを特徴とする靴である。
【手続補正５】
【補正対象書類名】明細書
【補正対象項目名】００１１
【補正方法】削除
【補正の内容】
【手続補正６】
【補正対象書類名】明細書
【補正対象項目名】００３４
【補正方法】変更
【補正の内容】
【００３４】
次に参考例３を図８を参照して説明する。
参考例３は、参考例２と同様の位置での横断面図であり、参考例２と異なる構成を説明すると、第３擬似アウトソールテープ体196は実施例２よりも厚く形成された帯状をしており、アッパー部106は第３擬似アウトソールテープ体196に隣接配置される下部アッパー部106Lと上方に配置される上部アッパー部106Uとにより構成され、上部アッパー部106Uの下端部が大凡直角に折り曲げられた後、第３擬似アウトソールテープ体196の上端面に縫合又は接着等により固定された構成になっている。したがって、上部アッパー部106Uの下端部、実質的には第３擬似アウトソールテープ体196の上面によって、擬似アウトソール形態部156の擬似アウトソール部上縁166たる第３擬似アウトソール部段差196Bが形成される。この第３擬似アウトソール部段差196Bが第３擬似アウトソール部上縁196Eになる。
【手続補正７】
【補正対象書類名】明細書
【補正対象項目名】００４１
【補正方法】変更
【補正の内容】
【００４１】
次に、擬似アウトソール形態部156たる第５擬似アウトソール形態部228を説明する。第５擬似アウトソール形態部228は、第５爪先部206から第５中央部212までは第５アウトソール部202と同一であり、第５中央部212から第５擬似踵部208に対し施されたウエジソール形態230に表されている部分が相当する。ウエジソール形態230は、図10及び図11においては、第５中央部212の第５爪先部206側から第５擬似踵部208側へ右肩上がりに急角度で上昇した後、やや緩やかな角度になって第５擬似踵部208に達している。すなわち、第５擬似アウトソール形態部228（ウエジソール形態230）は、図11における側面視、アウトソール部104における爪先部段差210に続いてウエッジソール部段差232が形成され、当該ウエッジソール部段差232は、足HFの甲IFの側方から踵FHの側方にかけて順次上方に位置するように右肩上がりに形成されている。したがって、実施例１において、擬似アッパー部境界部158、したがって、擬似アウトソール部上縁166及び擬似アッパー部下縁170はウエッジソール部段差232である。
ウエッジソール部段差232から第５アウトソール部202まで大凡垂下する壁面は、第５アウトソール部202と一体に見間違われるように、下方の第５アウトソール部202と同様の形態に形成されている。具体的には、第５擬似アウトソール形態部228は、第５爪先部206に位置する第５アウトソール部202に接続する第５中間ソール部234、第５擬似ヒール形態部209、及び、第５中間ソール部234と第５擬似ヒール形態部209との間に形成された直角三角形状の暗色部238を含んでいる。第５擬似アウトソール形態部228における第５擬似ヒール形態部209に相対する靴内面に第５踵宛て片240が形成されている。換言すれば、第５踵保持部246が第５擬似アウトソール形態部228に対し、水平方向において並んで配置されている。第５踵宛て片240は、水平位置において、第５擬似アウトソール形態部228の側方の内面に突出形成され、人Hの踵FHが上方にずれようとした際、引っかかって、ずり上がらず、踵FHが第５ミドルソール部242から離れないように保持する機能を有する。
【手続補正８】
【補正対象書類名】明細書
【補正対象項目名】００５１
【補正方法】変更
【補正の内容】
【００５１】
104  アウトソール部
106  アッパー部
100  靴
162  踵保持部
156  擬似アウトソール形態部
209,258,284擬似ヒール形態部
116  爪先部
234,256  中間ソール部
244  第５擬似アウトソール部段差